(57)【要約】【課題】包装用テープを必要な長さだけ自動切断させる自動テープカッターにおいて、テープの材質（硬い材質または軟らかい材質、上方に巻かれる材質、接着力が弱いか無い材質等）に応じて角度を便利に調節し、かつ、角度及び長さに応じて距離を便利に調節することができるようにし、切断テープを反復的で容易に剥がして包装をする作業者に便宜を与えることができる自動テープカッターの切断テープ排出ガイド装置を提供する。【解決手段】ロールに巻かれたテープを所望の長さに切断し、排出孔に排出させる装置において、前記排出孔の前方に切断テープの後側が載せられ、載せられる角度を調節する排出ガイド手段が設けられた自動テープカッターの切断テープ排出ガイド装置。【選択図】図１
2009046305.tif 000002
【特許請求の範囲】
【請求項１】
ロールに巻かれたテープを所望の長さに切断し、排出孔に排出させる装置において、前記排出孔の前方に切断テープの後側が載せられ、載せられる角度を調節する排出ガイド手段が設けられることを特徴とする自動テープカッターの切断テープ排出ガイド装置。
【請求項２】
前記排出ガイド手段は、板体に形成され、後方の両側にヒンジピンが設けられ、前記排出孔の下端部の両側に設けられたピンホルダに前記ヒンジピンが挿入結合されることを特徴とする請求項１に記載の自動テープカッターの切断テープ排出ガイド装置。
【請求項３】
前記排出ガイド手段は、少なくとも一つの板体が折り畳まれることを特徴とする請求項１に記載の自動テープカッターの切断テープ排出ガイド装置。
【請求項４】
前記板体には、表面に突起が突設されることを特徴とする請求項１に記載の自動テープカッターの切断テープ排出ガイド装置。
【請求項５】
前記板体には、上部面と下部面に、左右に複数個の溝が設けられることを特徴とする請求項１に記載の自動テープカッターの切断テープ排出ガイド装置。
【請求項６】
前記板体は、それぞれの内部に収納または引出されることを特徴とする請求項３乃至５のいずれか一項に記載の自動テープカッターの切断テープ排出ガイド装置。
【請求項７】
前記排出ガイド手段は、横棒の前方に複数個の縦棒が平行に設けられることを特徴とする請求項１に記載の自動テープカッターの切断テープ排出ガイド装置。
【請求項８】
前記縦棒の前方に横棒がさらに設けられることを特徴とする請求項７に記載の自動テープカッターの切断テープ排出ガイド装置。
【請求項９】
前記縦棒は、断面が円形または角形に形成され、上部に突起が突出されることを特徴とする請求項７または８に記載の自動テープカッターの切断テープ排出ガイド装置。
【請求項１０】
前記縦棒は、屈曲自在のフレキシブルな棒であることを特徴とする請求項７に記載の自動テープカッターの切断テープ排出ガイド装置。
【請求項１１】
前記排出孔の上部に、前方へ突出したガイドを有する上刃保護板がさらに設けられることを特徴とする請求項１に記載の自動テープカッターの切断テープ排出ガイド装置。
【発明の詳細な説明】
【技術分野】
【０００１】
本発明は、包装用テープを必要な長さだけ自動切断させる自動テープカッターに関し、より詳しくは、テープの材質（硬い材質または軟らかい材質、上方に巻かれる材質、接着力が弱いか無い材質等）に応じて角度を便利に調節し、かつ、長さに応じて距離を便利に調節することができるようにし、切断テープを反復的に容易に剥がして包装をする作業者に便宜を与えることができる自動テープカッターの切断テープ排出ガイド装置に関する。
【背景技術】
【０００２】
一般に、包装用自動テープカッターの一例としては、以下の文献が挙げられる。
【０００３】
［特許文献１］名称：自動テープカッターのテープ引出ガイド装置。
この特許文献１の特徴的な技術内容をみると、ロールテープの一端をローラに通し、ローラの前方の切断部により必要な長さだけ自動に切断して排出させている。
【０００４】
［特許文献２］名称：自動ロールテープカッター
この特許文献２の特徴的な技術内容をみると、前記特許文献１と同様に、ロールテープの一端をローラに通し、ローラの前方の切断部により必要な長さだけ自動に切断させている。
【０００５】
前記特許文献１と２における必要な長さは、使用者の設定により異なる。
【０００６】
前記特許文献１と２に開示された装置は、包装に用いられる切断テープを必要な長さだけ切断して排出するという長所はあるが、排出孔の前方の壁面に直角三角形状のガイドが固定された状態となっており、様々な材質によるガイドの役割を果たせず、切断されたテープが排出孔の下方に垂れて、前方の壁面に付着してしまうという問題点があった。
【０００７】
したがって、反復作業を行う作業者は、壁面に付着したテープを一々剥がさなければならないという不便さがあった。
しかも、軟らかい材質の切断テープの場合、排出孔の下方に垂れ、壁面に付着して、剥がす作業が相当困難であるという、作業上の不便さもあった。
【０００８】
【特許文献１】韓国実用新案登録第２５００４１号公報
【特許文献２】韓国特許出願第２００１−３２１５３号公報
【発明の開示】
【発明が解決しようとする課題】
【０００９】
本発明は、上記事情に鑑みてなされたもので、その目的は、テープの材質（硬い材質または軟らかい材質、上方に巻かれる材質、接着力が弱いか無い材質等）に応じて角度を便利に調節し、かつ、長さに応じて距離を便利に調節することができるようにし、切断テープを反復的で容易に剥がして包装をする作業者に便宜を与えることができる自動テープカッターの切断テープ排出ガイド装置を提供することにある。
【課題を解決するための手段】
【００１０】
上記目的を達成するために、本発明の自動テープカッターの切断テープ排出ガイド装置は、ロールに巻かれたテープを所望の長さに切断し、排出孔に排出させる装置において、前記排出孔の前方に切断テープの後側が載せられ、載せられる角度を調節する排出ガイド手段が設けられることと、排出ガイド手段は、板体に形成され、後方の両側にヒンジピンが設けられ、前記排出孔の下端部の両側に設けられたピンホルダに前記ヒンジピンが挿入結合されることと、前記排出ガイド手段は、少なくとも一つの板体が折り畳まれることと、前記板体には、表面に突起が突設されることと、前記板体には、上部面と下部面に、左右に複数個の溝が設けられることと、前記板体は、それぞれの内部に収納または引出されることと、前記排出ガイド手段は、横棒の前方に複数個の縦棒が平行に設けられることと、前記縦棒の前方に横棒がさらに設けられることと、前記縦棒は、断面が円形または角形に形成され、上部に突起が突出されることと、前記縦棒は、屈曲自在のフレキシブルな棒であることと、前記排出孔の上部に、前方へ突出したガイドを有する上刃保護板がさらに設けられることを特徴とする。
【発明の効果】
【００１１】
本発明は、カット部１１０の排出孔１１２の前方に、テープの材質に応じて角度を便利に調節し、かつ、長さに応じて距離を便利に調節することができる排出ガイド板が設けられることにより、切断テープを反復的で容易に剥がして包装をする作業者に便宜を与えることができるという効果がある。
【発明を実施するための最良の形態】
【００１２】
以下、添付した図面に基づき、本発明の好適な実施の形態について詳述する。
【００１３】
図１及び図２は、本発明に係る自動テープカッターの切断テープ排出ガイド装置を示す図であり、この自動テープカッターの切断テープ排出ガイド装置は、後方に設けられたロールテープ設置溝１３０と、前上部に設けられた制御部１２０と、前面に設けられたカット部１１０とを有する本体１００の、前記カット部１１０の前方に、排出ガイド手段である排出ガイド板２００が設けられる。
【００１４】
前記排出ガイド板２００は、四角形状の板体に形成され、後方の両側にヒンジピン２０１が突設される。
【００１５】
前記カット部１１０の排出孔１１２の下部の両側には、前記排出ガイド板２００のヒンジピン２０１が水平に挿入されるピンホルダ２０２が設けられる。
【００１６】
したがって、前記排出ガイド板２００は、後方の両側に突設されるヒンジピン２０１が排出孔１１２の下部に設けられるピンホルダ２０２に結合され、水平状態を維持し、または、ヒンジピン２０１を中心として、前方が下向きに角度調節されるようにする。
【００１７】
図３は、本発明に係る他の実施形態の排出ガイド手段を示す図であり、この排出ガイド手段である排出ガイド板２００ａは、第１板２０と第２板２２からなる。
【００１８】
前記第１板２０は、後方の両側に設けられたヒンジピン２０１と、前方の両側に設けられたピン孔２０ａとを有し、前記第２板２２は、後方の両側に、前記ピン孔２０ａに挿入されるピン２２ａが設けられる。
【００１９】
したがって、前記第２板２２のピン２２ａが第１板２０のピン孔２０ａに挿入結合されることにより、第１板２０と第２板２２は、相互必要な角度に調節可能となり、さらに、第１板２０のヒンジピン２０１が排出孔１１２のピンホルダ２０２に挿入結合されることにより、第１板２０と第２板２２は、ヒンジピン２０１を中心として、下向きへの角度調節が可能となる。
【００２０】
図４は、本発明に係るまた他の実施形態の排出ガイド手段を示す図であり、この排出ガイド手段である排出ガイド板２００ｂは、図３の第２板２２の前方に第３板２４がさらに設けられるが、前記第２板２２は、前方の両側にピン孔２０ａが設けられ、第３板２４は、後方の両側にピン２２ａが設けられて、前記ピン２２ａが前記ピン孔２０ａに挿入結合されることにより、第１板乃至第３板２０、２２、２４のそれぞれは、隣接した板（例えば、第１板２０と第２板２２、第２板２２と第３板２４）同士の多様な角度調節が可能となる。
【００２１】
図５は、本発明に係るまた他の実施形態の排出ガイド手段を示す図であり、この排出ガイド手段である排出ガイド板２００ｃは、後方の横棒２６の両側にヒンジピン２０１が一体形成されており、前方に複数個の縦棒２５が設けられている。
【００２２】
図６は、本発明に係るまた他の実施形態の排出ガイド手段を示す図であり、この排出ガイド手段である排出ガイド板２００ｄは、前記縦棒２５の前方に縦棒２６がさらに設けられている。
【００２３】
図７及び図８は、本発明に係るまた他の実施形態の排出ガイド手段を示す図であり、この排出ガイド手段である排出ガイド板２００ｅは、第１板２０、第２板２２、第３板２４からなる。
【００２４】
前記第１板２０は、後方の両側にヒンジピン２０１が突設され、前方から内部に空筒体状に形成され、前方入口の両側に止め突起２２ｄが設けられる。
【００２５】
前記第２板２２は、前記第１板２０の内部に収納される板体であって、後方の両側に前記止め突起２２ｄと対応してガイド突起２２ｂが突設され、また、前方入口の両側に止め突起２２ｄが設けられ、前方から内部に空筒体状に形成される。
【００２６】
前記第３板２４は、前記第２板２２の内部に収納される板体であって、後方の両側に前記止め突起２２ｄと対応してガイド突起２２ｂが突設され、また、前方の中央に引出突起２４ａが設けられる。
【００２７】
したがって、第３板２４は第２板２２の内部に、第２板２２は第１板２０の内部に収納または引出されるが、第２板２２の両側のガイド突起２２ｂは、第１板２０の両側のガイド溝２２ｃに沿って移動し、入口側の止め突起２２ｄにより止められた状態となり、第３板２４の両側のガイド突起２２ｂは、第２板２０の両側のガイド溝２２ｃに沿って移動し、入口側の止め突起２２ｄにより止められた状態となり、第３板２４は第２板２２から、第２板２２は第１板２０から、それぞれ引き出された状態となることである。
【００２８】
このように構成される本発明は、本体１００の後方に設けられたロールテープ設置溝１３０に、ロールに巻かれたテープを設置すると共に、その端部をローラ間に位置させた後、制御部１２０を操作し、切断テープの長さ及び切断速度を設定して動作させると、切断テープがカット部１１０の排出孔１１２から順次排出される。
【００２９】
この状態で、排出孔１１２から排出される切断テープは、排出ガイド板２００、２００ａ、２００ｂ、２００ｃ、２００ｄ、２００ｅに案内されると共に、その後面が排出ガイド板２００、２００ａ、２００ｂ、２００ｃ、２００ｄ、２００ｅの上部面に位置するが、剥がす作業を繰り返す作業者は、所望の角度に、排出ガイド板２００、２００ａ、２００ｂ、２００ｃ、２００ｄ、２００ｅの角度を調節した後、作業を行うこととなる。
【００３０】
また、切断テープが長い場合または軟らかい材質である場合は、第１板２０と第２板２２からなる排出ガイド板２００ａを用いるが、第１板２０では、作業者が所望の角度に調節した後、第２板２２では、第１板２０よりも垂れる角度に調節すると、長い長さの切断テープの前端が、第１板２０を通した状態で位置し、または、軟らかい切断テープの前端が、第１板２０を通過した状態で、第１板２０の下方に垂れて、作業者は、便利に切断テープを剥がすことができるようになる。
【００３１】
また、上記の場合よりも、切断テープがさらに長い場合は、第１板乃至第３板２０、２２、２４からなる排出ガイド板２００ｂを用いるが、図９の状態から、図１０のように、第１板乃至第３板２０、２２、２４を同一面として、使用者の所望の角度に同時に調節し、または、図１１のように、第１板２０及び第２板２２は同一面として、使用者の所望の角度に同時に調節してから、第３板２３はさらに垂れる角度に調節し、または、図１２のように、第１板２０のみを所望の角度に調節してから、第２板２２及び第３板２４は、さらに垂れる角度に調節することができる。
【００３２】
また、図９及び図１０に示すように、排出ガイド板２００ｅにおいて、第３板２４は第２板２２に、第２板２２は第１板２０の内部に収納または引出されるので、第３板２４及び第２板２２が収納された状態である第１板２０のみを使用し、または、第２板２２のみを引き出し、第１板２０及び第２板２２を同時に使用し、または、第３板２４も引き出し、第１板乃至第３板２０、２２、２４を同時に使用することが可能となる。
【００３３】
したがって、カット部１１０の排出孔１１２の前方に、上記した排出ガイド手段を設けることにより、テープの材質に応じて角度を便利に調節し、かつ、長さに応じて距離を便利に調節することができ、切断テープを反復的に剥がして包装を行う作業者に便宜を与えるようになる。
【００３４】
上記において、第１板２０及び第２板２２、または、第１板乃至第３板２０、２２、２４を用いる際は、テープの材質に応じて、使用者が便利に各板を調節して用いてもよく、テープが短い場合は、各板を本体１００の前面に位置させて用いてもよい。
【００３５】
図１３は、本発明に係るまた他の実施形態の排出ガイド手段を示す図であり、この排出ガイド板２００ｆは、第１板２０よりも第２板２２が低く、第２板２２よりも第３板２４が低くなる階段式となる。
【００３６】
図１４は、本発明に係るまた他の実施形態の排出ガイド手段を示す図であり、この排出ガイド板２００ｇは、上下部面の前側から後側まで、左右に溝５１が設けられ、板体が溝５１により自然に角度調節されるようになっている。
【００３７】
図１５は、本発明に係るまた他の実施形態の排出ガイド手段を示す図であり、この排出ガイド板２００ｈは、図７及び図８のものと反対に、第１板よりも第２板２２が大きく、第２板２２よりも第３板２４が大きくなり、第１板２０が第２板２２に収納または引出され、また、第２板２２が第３板２４に収納または引出される。
【００３８】
図１６は、本発明に係るまた他の実施形態の排出ガイド手段を示す図であり、この排出ガイド板２００ｉは、図５に示すものにおいて、縦棒２５の代わりにフレキシブルな棒５４を設けているが、このフレキシブルな棒５４は、一定の力を加えると、自然に角度が調節される。
【００３９】
図１７は、本発明に係る排出ガイド板２００、第１板乃至第３板２０、２２、２４を示す断面図であり、上部面の両側に突起５２が設けられるが、図１８に示すように、複数の突起５２が等間隔で形成されても、図１９に示すように、大突起５２の間毎に小突起が形成されてもよい。
【００４０】
図２０は、図７及び図８に示す縦棒２５の断面図であり、この縦棒２５は、円形または角形に形成されてもよいが、図２１に示すように、上部頂点に突起５３が形成されても、図２２に示すように、縦棒２５ａが角形に形成され、その上部面に突起５３が形成されてもよい。
【００４１】
図２３は、本発明に係るまた他の実施形態を示す図であり、上部切断刃の前方に上刃保護板５５が設けられる。
【００４２】
前記上刃保護板５５の下部には、前方に長く延長されるガイド５６が一体形成されており、接着力の弱いテープを切断するとき、切断テープの後端がガイド５６に引っ掛かり、排出ガイド板から外れないようにする。
【００４３】
また、上方に巻かれるテープの場合も、後側が上方に巻かれないようにする。
【００４４】
添付図面において、未説明符号の１１４は切断刃であり、１１６はセンサである。
【００４５】
以上、本発明を、本発明の原理を例示するための好適な実施形態に基づいて説明し図示したが、本発明は、これらの構成及び作用に限定されるものではなく、特許請求の範囲の思想及び範疇の範囲内で、本発明についての様々な変更及び修正が可能であることを、当業者は理解されるだろう。したがって、このような全ての適切な変更及び修正とその均等物も、本発明の範囲に属するものと見なさなければならない。
【図面の簡単な説明】
【００４６】
【図１】本発明の装置が設けられた自動テープカッターを示す斜視図である。
【図２】本発明の要部構成を示す平断面図である。
【図３】本発明の他の実施形態の例示図である。
【図４】本発明のまた他の実施形態の例示図である。
【図５】本発明のまた他の実施形態の例示図である。
【図６】本発明のまた他の実施形態の例示図である。
【図７】本発明のまた他の実施形態の例示図である。
【図８】図７の一使用例を示す例示図である。
【図９】本発明の一使用例を示す例示図である。
【図１０】本発明の一使用例を示す例示図である。
【図１１】本発明の一使用例を示す例示図である。
【図１２】本発明の一使用例を示す例示図である。
【図１３】本発明のまた他の実施形態の例示図である。
【図１４】本発明のまた他の実施形態の例示図である。
【図１５】本発明のまた他の実施形態の例示図である。
【図１６】本発明のまた他の実施形態の例示図である。
【図１７】本発明に係る排出ガイド板の断面例示図である。
【図１８】図１７の他の実施形態の断面例示図である。
【図１９】図１７のまた他の実施形態の断面例示図である。
【図２０】本発明に係る縦棒の断面例示図である。
【図２１】図２０の他の実施形態の断面例示図である。
【図２２】図２１のまた他の実施形態の断面例示図である。
【図２３】本発明に係る他の実施形態の断面例示図である。
【符号の説明】
【００４７】
２０ａ    ピン孔
２２ａ    ピン
２２ｂ    ガイド突起
２２ｃ    ガイド溝
２２ｄ    止め突起
５１    溝
５２、５３    突起
５４    フレキシブルな棒
５５    上刃保護板
５６    ガイド
１００    本体
１１０    カット部
１１２    排出孔
１１４    切断刃
１１６    センサ
１２０    制御部
１３０    ロールテープ設置溝
２００、２００ａ、２００ｂ、２００ｃ、２００ｄ、２００ｅ、２００ｆ、２００ｇ、
２００ｈ、２００ｉ    排出ガイド板
２０１    ヒンジピン
２０２    ピンホルダ
【図１】
2009046305.tif 000003
【図２】
2009046305.tif 000004
【図３】
2009046305.tif 000005
【図４】
2009046305.tif 000006
【図５】
2009046305.tif 000007
【図６】
2009046305.tif 000008
【図７】
2009046305.tif 000009
【図８】
2009046305.tif 000010
【図９】
2009046305.tif 000011
【図１０】
2009046305.tif 000012
【図１１】
2009046305.tif 000013
【図１２】
2009046305.tif 000014
【図１３】
2009046305.tif 000015
【図１４】
2009046305.tif 000016
【図１５】
2009046305.tif 000017
【図１６】
2009046305.tif 000018
【図１７】
2009046305.tif 000019
【図１８】
2009046305.tif 000020
【図１９】
2009046305.tif 000021
【図２０】
2009046305.tif 000022
【図２１】
2009046305.tif 000023
【図２２】
2009046305.tif 000024
【図２３】
2009046305.tif 000025